(57)【要約】【課題】パケットの送達確認の機能を備えた、有線ネットワークに好適な通信プロトコルを用いた、無線区間を含む通信のスループットを改善することのできる無線データ通信装置を提供する。【解決手段】無線データ通信装置１３は、パケットの送達確認の機能を備えた通信プロトコルを用いて無線区間を含むデータ通信を行う装置であって、送信ＡＣＫ数保持部２２とプロトコル処理部２３とを有している。送信ＡＣＫ数保持部２２は、無線区間の回線品質に応じて予め定められた送信ＡＣＫ数を保持する。プロトコル処理部２３は、通信プロトコルの処理において受信したデータパケットに対してＡＣＫパケットを送信するとき、送信ＡＣＫ数保持部２２に保持されている送信ＡＣＫ数だけのＡＣＫパケットを送信する。【選択図】図２
2008099171.tif 000002
【特許請求の範囲】
【請求項１】
パケットの送達確認の機能を備えた通信プロトコルを用いて無線区間を含むデータ通信を行う無線データ通信装置であって、
無線区間の回線品質に応じて予め定められた送信ＡＣＫ数を保持する送信ＡＣＫ数保持部と、
前記通信プロトコルの処理において受信したデータパケットに対してＡＣＫパケットを送信するとき、前記送信ＡＣＫ数保持部に保持されている前記送信ＡＣＫ数だけのＡＣＫパケットを送信するプロトコル処理部と、を有する無線データ通信装置。
【請求項２】
前記無線区間の回線品質を測定し、得られた回線品質に応じて前記送信ＡＣＫ数保持部に保持されている前記送信ＡＣＫ数を動的に制御する送信ＡＣＫ数制御部を更に有する、請求項１に記載の無線データ通信装置。
【請求項３】
前記送信ＡＣＫ数制御部は、前記無線区間の受信信号強度に応じて前記送信ＡＣＫ数を決定する、請求項２に記載の無線データ通信装置。
【請求項４】
無線通信システムの基地局と無線で接続してデータ通信を行うモバイル端末である、請求項１から３のいずれか１項に記載の無線データ通信装置。
【請求項５】
前記データパケットには各々に異なる値のシーケンス番号が付与されており、
前記プロトコル処理部は、受信した前記データパケットに付与されているシーケンス番号を記載したＡＣＫパケットを、前記送信ＡＣＫ数保持部に保持されている前記送信ＡＣＫ数だけ送信する、請求項１から４のいずれか１項に記載の無線データ通信装置。
【請求項６】
前記通信プロトコルはＴＣＰ／ＩＰである、請求項１から５のいずれか１項に記載の無線データ通信装置。
【発明の詳細な説明】
【技術分野】
【０００１】
本発明は無線によるデータ通信に関する。
【背景技術】
【０００２】
携帯電話や無線ＬＡＮ（Ｌｏｃａｌ  Ａｒｅａ  Ｎｅｔｗｏｒｋ）の急速な普及により、近年では無線でのデータ通信が一般的になってきている。また、今後はＨＳＤＰＡ（Ｈｉｇｈ  Ｓｐｅｅｄ  Ｄｏｗｎｌｉｎｋ  Ｐａｃｋｅｔ  Ａｃｃｅｓｓ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のようなブロードバンドの無線データ通信システムが普及していくことが予想される。無線データ通信システムのブロードバンド化により、インターネットに代表されるようなデータ通信の分野における無線通信あるいはモバイル通信の比率が高まる。
【０００３】
図８は、無線データ通信システムの構成例を示すブロック図である。図８を参照すると、無線データ通信システムは基地局９１、サーバー９２、およびモバイル端末９３を有している。この例では基地局９１とモバイル端末９３の間が無線区間である。基地局９１とサーバー９２は有線ネットワークで接続されている。
【０００４】
この種の無線データ通信システムでは有線のデータ通信と同様に、通信プロトコルとしてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）が用いられる。図８の無線データ通信システムでは、モバイル端末９３と、基地局９１あるいはサーバー９２とがＴＣＰ／ＩＰを終端する。
【０００５】
ＴＣＰ／ＩＰはコネクション型の通信プロトコルであり、パケットの送達確認および再送の機能を備えているため、安定的かつ効率的なプロトコルとして信頼性が高い（特許文献１参照）。図９は、ＴＣＰ／ＩＰ通信のシーケンスの一例を示す図である。ここでは送信側装置から受信側装置にデータを送信する例を示す。ダウンリンクのデータ通信では基地局９１が送信側装置となり、モバイル端末９３が受信側装置となる。アップリンクでのデータ通信ではモバイル端末９３が送信側装置となり、基地局９１が受信側装置となる。送信側装置と受信側装置の間で予めコネクションが確立された後にデータの転送が開始される。
【０００６】
送信側装置はデータをパケット化し、パケットにシーケンス番号を付与して受信側装置に送信する。シーケンス番号はパケットの順序を示す番号であり、パケット毎に値が異なる。図９を参照すると、シーケンス番号が１０００（Ｓｅｑ１０００）のパケットが送られ、続いてシーケンス番号が２０００（Ｓｅｑ２０００）のパケットが送られている。
【０００７】
受信側装置は、送信側装置からデータのパケットを受信すると、そのパケットに付与されていたシーケンス番号を記載したＡＣＫパケットを送信側装置に送信する。このＡＣＫパケットは、記載したシーケンス番号の付与されていたパケットまで正常に受信したこと示す。通信効率を改善するために、受信側装置は送信側装置から複数のパケットを受信してから１つのＡＣＫパケットを返送するようにしている場合が多い。図９では、Ｓｅｑ１０００のパケットとＳｅｑ２０００のパケットの２つのパケットに対して、シーケンス番号２０００が記載された１つのＡＣＫパケット（ＡＣＫ２０００）が返送されている。
【０００８】
図１０は、ＴＣＰ／ＩＰ通信のシーケンスの他の例を示す図である。これはＡＣＫパケットが紛失した例である。図１０に示すように、Ｓｅｑ１０００のパケットとＳｅｑ２０００のパケットに対するＡＣＫパケットが紛失したので、送信側装置はそれら２つのパケットが受信側装置に送達されたことを確認できない。そこで送信側装置はタイムアウト後にＳｅｑ１０００のパケットとＳｅｑ２０００のパケットを再送している。
【０００９】
図９および図１０に示したようにＴＣＰ／ＩＰでは送信側装置と受信側装置がパケットの送達を確認しながらデータの転送を進めていくことで安定性および信頼性を確保している。
【００１０】
また、この種の無線データ通信ではアップリンクよりもダウンリンクの速度が重視され、ダウンリンクの理論値がアップリンクの理論値よりも高く設定される場合が多い。
【特許文献１】特開２００６−５０２９５号公報
【発明の開示】
【発明が解決しようとする課題】
【００１１】
しかし、ＴＣＰ／ＩＰは、元来、有線ネットワーク環境での使用を意図して開発されたプロトコルであり、無線通信を意図したものではない。無線通信では有線ネットワーク環境と比べると、ノイズや干渉が生じやすく、送受信エラーやパケットロスが頻繁におきる。そのような不安定な無線環境におけるＴＣＰ／ＩＰによるデータ通信では再送の発生頻度が高くなり、有線ネットワーク環境におけるような通信パフォーマンス（スループット）が得られない。
【００１２】
特に、受信信号強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）が低い環境での通信ではデータパケットのロスだけでなく、図１０に示したようにＡＣＫパケットのロスも生じる。これと同様にハンドオーバーが発生したときもデータパケットだけでなくＡＣＫパケットにもロスが生じる。ＡＣＫパケットがロスすれば、データパケットの送達が確認できないので、送信側装置はデータパケットを再送する。
【００１３】
このような無線区間でのパケットのロスに起因する通信パフォーマンスの低下に対して、無線区間だけに無線環境に適したプロトコルを用いることでトータルのスループットを改善する方法が考えられる。しかし、無線通信システムと有線通信システムを統合してオールＩＰ化に向かっている現在において無線区間に専用の通信プロトコルを適用するのは現実的でない。
【００１４】
本発明の目的は、パケットの送達確認の機能を備えた、有線ネットワークに好適な通信プロトコルを用いた、無線区間を含む通信のスループットを改善することのできる無線データ通信装置を提供することである。
【課題を解決するための手段】
【００１５】
上記目的を達成するために、本発明の無線データ通信装置は、
パケットの送達確認および再送の機能を備えた通信プロトコルを用いて無線区間を含むデータ通信を行う無線データ通信装置であって、
無線区間の回線品質に応じて予め定められた送信ＡＣＫ数を保持する送信ＡＣＫ数保持部と、
前記通信プロトコルの処理において受信したデータパケットに対してＡＣＫパケットを送信するとき、前記送信ＡＣＫ数保持部に保持されている前記送信ＡＣＫ数だけのＡＣＫパケットを送信するプロトコル処理部と、を有している。
【００１６】
本発明によれば、無線データ通信装置は、受信したデータパケットに対するＡＣＫパケットを、無線区間の回線品質に応じて予め定められた送信ＡＣＫ数だけ送信するので、ＡＣＫパケットの紛失によるデータパケットの再送の発生が抑制され、無線区間を含む通信のスループットを改善することができる。
【００１７】
また、前記無線区間の回線品質を測定し、得られた回線品質に応じて前記送信ＡＣＫ数保持部に保持されている前記送信ＡＣＫ数を動的に制御する送信ＡＣＫ数制御部を更に有することにしてもよい。
【００１８】
これによれば、無線区間の回線品質に応じて送信ＡＣＫ数を動的に制御し、受信したデータパケットに対して送信ＡＣＫ数だけのＡＣＫパケットを送信するので、回線品質が悪いときにはＡＣＫパケットの数を増やしてデータパケットの再送を抑制し、回線品質が良好なときにはＡＣＫパケットの数を減らし、ネットワーク上に余計なトラフィックが流れることや対向装置において２個目以降のＡＣＫパケットを廃棄する無駄な処理などを削減し、スループットを向上させることができる。
【００１９】
また、前記送信ＡＣＫ数制御部は、前記無線区間の受信信号強度に応じて前記送信ＡＣＫ数を決定することにしてもよい。
【００２０】
また、無線通信システムの基地局と無線で接続してデータ通信を行うモバイル端末であることにしてもよい。
【００２１】
これによれば、無線区間の品質に応じた数のＡＣＫパケットを送信する機能をモバイル端末に付加するだけで、無線通信システム側の装置の通信プロトコルに変更を加えることなく、速度において重視されるダウンリンクのスループットを向上させることができる。
【００２２】
また、前記データパケットには各々に異なる値のシーケンス番号が付与されており、
前記プロトコル処理部は、受信した前記データパケットに付与されているシーケンス番号を記載したＡＣＫパケットを、前記送信ＡＣＫ数保持部に保持されている前記送信ＡＣＫ数だけ送信することにしてもよい。
【００２３】
また、前記通信プロトコルはＴＣＰ／ＩＰであるとしてもよい。
【発明の効果】
【００２４】
本発明によれば、無線データ通信装置は、受信したデータパケットに対するＡＣＫパケットを、無線区間の回線品質に応じて予め定められた送信ＡＣＫ数だけ送信するので、ＡＣＫパケットの紛失によるデータパケットの再送の発生が抑制され、無線区間を含む通信のスループットを改善することができる。
【発明を実施するための最良の形態】
【００２５】
本発明を実施するための形態について図面を参照して詳細に説明する。
【００２６】
（第１の実施形態）
図１は、第１の実施形態による無線データ通信システムの構成を示すブロック図である。図１を参照すると、無線データ通信システムは基地局１１、サーバー１２、およびモバイル端末１３を有している。この例では基地局１１とモバイル端末１３の間が無線区間である。基地局１１とサーバー１２は有線ネットワークで接続されている。本システムでは通信プロトコルとしてＴＣＰ／ＩＰが用いられており、モバイル端末１３と、基地局１１あるいはサーバー１２とがＴＣＰ／ＩＰを終端する。
【００２７】
モバイル端末１３と基地局１１あるいはサーバー１２とは相互にデータをやりとりする。ここでは一例として、基地局１１あるいはサーバー１２からモバイル端末１３へ向かうダウンリンクの速度が重視され、ダウンリンクの理論値がアップリンクの理論値よりも高く設定されているものとする。そして主にダウンリンクでのデータ通信について説明することにする。
【００２８】
ＴＣＰ／ＩＰを終端する基地局１１あるいはサーバー１２は公知のＴＣＰ／ＩＰを終端する機能を備えている。基地局１１あるいはサーバー１２はＴＣＰ／ＩＰによってデータをパケット化し、モバイル端末１３へ送信する。その際にモバイル端末１３からのＡＣＫパケットが返送されて来なければ、基地局１１あるいはサーバー１２はタイムアウトによりデータパケットを再送する。
【００２９】
モバイル端末１３は、改良されたＴＣＰ／ＩＰを終端する機能を備えている。モバイル端末１３は、基地局１１あるいはサーバー１２からＴＣＰ／ＩＰのパケットを受信するとＡＣＫパケットを返送する。その際、改良されたＴＣＰ／ＩＰではモバイル端末１３は同一のＡＣＫパケットを複数個返送する。これによりＡＣＫパケットのロスによるデータパケットの再送の発生が低減される。
【００３０】
図２は、第１の実施形態によるモバイル端末の構成を示すブロック図である。図２を参照すると、モバイル端末１３はデータ通信部２１、送信ＡＣＫ数保持部２２、およびプロトコル処理部２３を有している。
【００３１】
データ通信部２１は、例えばアプリケーションあるいはユーザの指示に従ってデータ通信を行う。データ通信において、データ通信部２１はプロトコル処理部２３を介して、相手側装置（不図示）にデータを送信したり、相手側装置（不図示）からデータ受信したりする。
【００３２】
プロトコル処理部２３は、基地局１１あるいはサーバー１２との間の通信プロトコルを処理し、データ通信部２１によるデータの送受信を可能にする。ここでは通信プロトコルとしてＴＣＰ／ＩＰが用いられる。
【００３３】
データの送信処理において、プロトコル処理部２３はデータ通信部２１から受信したデータをパケット化し、データパケットを基地局１１に送信する。そして、プロトコル処理部２３は基地局１１からのＡＣＫパケットによりデータパケットが送達されたか否かを確認する。この確認において、プロトコル処理部２３は、送信したデータパケットに付与したシーケンス番号と、受信したＡＣＫパケットに記載されているシーケンス番号とを照合することでデータパケットとＡＣＫパケットとを対応付ける。ＡＣＫパケットを受信できれば、プロトコル処理部２３はデータパケットが、ＴＣＰ／ＩＰを終端する基地局１１あるいはサーバー１２に送達されたと判断する。データパケットの送信から所定時間内にＡＣＫパケットを受信できなければ、プロトコル処理部２３はデータパケットが送達されなかったと判断し、データパケットを再送する。
【００３４】
データの受信処理において、プロトコル処理部２３は、基地局１１からデータパケットを受信すると、そのデータパケットに付与されていたシーケンス番号を抽出し、そのシーケンス番号を記載したＡＣＫパケットを生成する。そして、プロトコル処理部２３は、送信ＡＣＫ数保持部２２から送信ＡＣＫ数を取得し、送信ＡＣＫ数に示された回数だけＡＣＫパケットの送信を繰り返す。その際に送信されるＡＣＫパケットには同一のシーケンス番号が記載されている。なお、通信効率を改善するために、プロトコル処理部２３は複数のデータパケットを受信した後に１つのＡＣＫパケットを送信することにしてもよい。その場合、ＡＣＫパケットには、最後に受信されたデータパケットに付与されていたシーケンス番号が記載される。
【００３５】
送信ＡＣＫ数保持部２２は、同一のＡＣＫパケットを送信する回数を示す送信ＡＣＫ数を保持する。送信ＡＣＫ数は、例えば無線区間の通信環境に応じて、任意に設定可能であってもよい。
【００３６】
図３は、第１の実施形態による通信のシーケンスの一例を示す図である。ここでは基地局１１からモバイル端末にデータを送信する例を示す。基地局１１とモバイル端末１３の間で予めコネクションが確立された後にデータの転送が開始される。
【００３７】
基地局１１はデータをパケット化し、データパケットにシーケンス番号を付与してモバイル端末１３に送信する。図３の例では、まずシーケンス番号が１０００（Ｓｅｑ１０００）のパケットが送られ、続いてシーケンス番号が２０００（Ｓｅｑ２０００）のパケットが送られている。
【００３８】
モバイル端末１３は、基地局１１からデータパケットを受信すると、そのデータパケットに付与されていたシーケンス番号を記載した複数個のＡＣＫパケットをモバイル端末１３に送信する。
【００３９】
ここでは送信ＡＣＫ数が“３”に設定されているものとする。また、ここでは通信効率を改善するために、モバイル端末１３は基地局１１から２つのパケットを受信してから１種類（３個）のＡＣＫパケットを返送するようにしている。図３を参照すると、Ｓｅｑ１０００のパケットとＳｅｑ２０００のパケットの２つのパケットに対して、シーケンス番号２０００が記載されたＡＣＫパケット（ＡＣＫ２０００）が３個返送されている。
【００４０】
基地局１１は、１つのＡＣＫパケットを受信すると、それ以降に同じシーケンス番号を記載したＡＣＫパケットを受信しても無視あるいは廃棄する。そして、基地局１１は、それ以降のデータパケット（Ｓｅｑ３０００、Ｓｅｑ４０００）の送信を継続する。
【００４１】
図４は、第１の実施形態による通信のシーケンスの他の例を示す図である。これはＡＣＫパケットが紛失した例である。図４を参照すると、Ｓｅｑ１０００のパケットとＳｅｑ２０００のパケットに対する３個のＡＣＫパケット（ＡＣＫ２０００）のうち２つが紛失している。しかし、１つのＡＣＫパケットが基地局１１に受信されている。基地局１１は、ＡＣＫパケットの受信によりデータパケットがモバイル端末１３に送達されたことを確認できるので、それ以降のデータパケット（Ｓｅｑ３０００、Ｓｅｑ４０００）の送信を継続することができる。
【００４２】
以上説明したように、本実施形態によれば、モバイル端末１３は、受信したデータパケットに対するＡＣＫパケットを複数個送信するので、ＡＣＫパケットの紛失によるデータパケットの再送の発生が抑制され、無線区間を含む通信のスループットを改善することができる。
【００４３】
また、本実施形態では、モバイル端末１３に複数のＡＣＫパケットを送信する機能を付加するだけで、基地局１１あるいはサーバー１２のＴＣＰ／ＩＰの処理に変更を加えることなく、速度において重視されるダウンリンクのスループットを向上させることができる。
【００４４】
（第２の実施形態）
第１の実施形態では送信ＡＣＫ数は予め設定された固定値であったが、第２の実施形態では、無線区間の回線品質に応じて送信ＡＣＫ数が動的に制御される。これにより、回線品質が悪いときにはＡＣＫパケットの送信数を増やしてデータパケットの再送を抑制し、回線品質が良好なときにはＡＣＫパケットの送信数を減らし、ＡＣＫパケットの廃棄処理などの無駄を削減することができる。これにより通信のスループットをより改善することができる。
【００４５】
第２の実施形態による無線データ通信システムは、図１に示した第１の実施形態による無線データ通信システムと同様の構成である。第２の実施形態はモバイル端末１３の内部構成のみが第１の実施形態と異なる。
【００４６】
図５は、第２の実施形態によるモバイル端末の構成を示すブロック図である。図５を参照すると、モバイル端末１３はデータ通信部２１、送信ＡＣＫ数保持部２２、プロトコル処理部２３、および送信ＡＣＫ数制御部３１を有している。データ通信部２１、送信ＡＣＫ数保持部２２、およびプロトコル処理部２３は、図１に示した第１の実施形態と同じものである。
【００４７】
送信ＡＣＫ数制御部３１は、無線区間の回線品質を測定し、回線品質に応じて、送信ＡＣＫ数保持部２３に保持されている送信ＡＣＫ数を制御する。具体例として無線区間の回線品質として受信信号強度（ＲＳＳＩ）を用いるものとする。送信ＡＣＫ数制御部３１は、定期的にＲＳＳＩの測定値を取得し、その測定値に対応する送信ＡＣＫ数を決定し、その送信ＡＣＫ数を送信ＡＣＫ数保持部２２に設定すればよい。ここでは送信ＡＣＫ数制御の時間間隔は一例として１００ｍｓｅｃとする。
【００４８】
図６は、第２の実施形態の送信ＡＣＫ数の制御におけるＲＳＳＩと送信ＡＣＫ数の対応を示す表である。ＲＳＳＩが２０％以下であれば送信ＡＣＫ数は“３”である。ＲＳＳＩが２０％より大きく５０％以下であれば送信ＡＣＫ数は“２”である。ＲＳＳＩが５０％より大きければ送信ＡＣＫ数は“１”である。なお、図６の例ではＲＳＳＩ測定値がパーセント表示されているがデシベル表示や絶対値表示であってもよい。
【００４９】
図７は、第２の実施形態によるモバイル端末における送信ＡＣＫ数の制御動作を示すフローチャートである。図７を参照すると、モバイル端末１３の送信ＡＣＫ数制御部３１はまずＲＳＳＩを取得する（ステップ１０１）。続いて送信ＡＣＫ数制御部３１はＲＳＳＩが５０％より大きいか否か判定する（ステップ１０２）。ＲＳＳＩが５０％より大きければ送信ＡＣＫ数制御部３１は送信ＡＣＫ数を“１”と決定する（ステップ１０３）。
【００５０】
ＲＳＳＩが５０％以下であれば送信ＡＣＫ数制御部３１はＲＳＳＩが２０％より大きいか否か判定する（ステップ１０４）。ＲＳＳＩが２０％より大きければ送信ＡＣＫ数制御部３１は送信ＡＣＫ数を“２”と決定する（ステップ１０５）。ＲＳＳＩが２０％以下であれば送信ＡＣＫ数制御部３１は送信ＡＣＫ数を“３”と決定する（ステップ１０６）。
【００５１】
最後に送信ＡＣＫ数制御部３１は送信ＡＣＫ数を送信ＡＣＫ数保持部２２に設定する（ステップ１０７）。
【００５２】
以上説明したように、本実施形態によれば、モバイル端末１３は、無線区間の回線品質に応じて送信ＡＣＫ数を動的に制御し、受信したデータパケットに対して送信ＡＣＫ数だけのＡＣＫパケットを送信する。したがって、回線品質が悪いときには、第１の実施形態と同様にＡＣＫパケットの数を増やしてデータパケットの再送を抑制してスループットを向上することができる。また回線品質が良好なときにはＡＣＫパケットの数を減らし、ネットワーク上に余計なトラフィックが流れることや、基地局１１あるいはサーバー１２が２個目以降のＡＣＫパケットを廃棄する無駄な処理などを削減し、スループットを向上させることができる。
【図面の簡単な説明】
【００５３】
【図１】第１の実施形態による無線データ通信システムの構成を示すブロック図である。
【図２】第１の実施形態によるモバイル端末の構成を示すブロック図である。
【図３】第１の実施形態による通信のシーケンスの一例を示す図である。
【図４】第１の実施形態による通信のシーケンスの他の例を示す図である。
【図５】第２の実施形態によるモバイル端末の構成を示すブロック図である。
【図６】第２の実施形態の送信ＡＣＫ数の制御におけるＲＳＳＩと送信ＡＣＫ数の対応を示す表である。
【図７】第２の実施形態によるモバイル端末における送信ＡＣＫ数の制御動作を示すフローチャートである。
【図８】無線データ通信システムの構成例を示すブロック図である。
【図９】ＴＣＰ／ＩＰ通信のシーケンスの一例を示す図である。
【図１０】ＴＣＰ／ＩＰ通信のシーケンスの他の例を示す図である。
【符号の説明】
【００５４】
１１    基地局
１２    サーバー
１３    モバイル端末
２１    データ通信部
２２    送信ＡＣＫ数保持部
２３    プロトコル処理部
３１    送信ＡＣＫ数制御部
１０１〜１０７    ステップ
【図１】
2008099171.tif 000003
【図２】
2008099171.tif 000004
【図３】
2008099171.tif 000005
【図４】
2008099171.tif 000006
【図５】
2008099171.tif 000007
【図６】
2008099171.tif 000008
【図７】
2008099171.tif 000009
【図８】
2008099171.tif 000010
【図９】
2008099171.tif 000011
【図１０】
2008099171.tif 000012